(57)【特許請求の範囲】
【請求項１】
割りスリーブを内蔵保持する左右一対の筒体を各形成して、両筒体の各端部をそれぞれ囲繞するように、先端に鉤状の爪部を備えた係止片が設けられた二個一対のスリーブホルダの各端部同士を連接して成り、左右からＳＣ型プラグを挿入して相互を光接続可能として成るＳＣ型アダプタに使用される光コネクタ用の簡易プラグであって、該簡易プラグは、フェルールがホルダを介してブーツに嵌合されて成り、当該ホルダにはＳＣ型プラグ用スリーブホルダの係止片の大きさに対応したフランジ部を設け、該フランジ部にはスリーブホルダの係止片の爪部を係架させる係合凹部を備え、該係合凹部は、矩形板状のフランジ部の４辺において、外側面から後面側にかけて矩形切欠状となって形成されており、各係合凹部の形成幅間隔は係止片の横幅に対応していることによりＳＣ型アダプタ内での簡易プラグのホルダ軸を中心とした回転方向の移動を規制させるようにしたことを特徴とする光コネクタ用簡易プラグ。
【発明の詳細な説明】
【技術分野】
【０００１】
本発明は、ＳＣ型アダプタを介して光ファイバの光接続を行うための光コネクタ用簡易プラグに関する。
【背景技術】
【０００２】
従来におけるこの種光コネクタプラグは、ＳＣ型の光コネクタアダプタに嵌合するつまみ部材と、つまみ部材内に軸方向に移動自在に保持されたプラグフレームと、光接続を行う光ファイバを保持すると共にプラグフレームの後方から挿入されるフェルールと、先端部がプラグフレームの後端部と係合するストップリングと、フェルールとストップリングとの間に保持されてフェルールを軸方向先端側に向かって付勢するばねとを具備する。そして、ストップリングの後端部側には、内部にカシメリング及びリングが内包されて光ファイバケーブルが保持されるブーツが嵌合されている。
【０００３】
一方、従来における光コネクタアダプタは、円筒状の割りスリーブを内蔵保持する左右一対の筒体が各一体に形成されている二個一対のスリーブホルダと、両筒体の各一端を当接させた状態で、上記二個一対のスリーブホルダを二個一対のハウジングに内蔵保持するよう構成されている。
【０００４】
また、二個一対のスリーブホルダの両接合端壁の左右両側には、両筒体の各端部をそれぞれ囲繞するように、先端に鉤状の爪部を備えた係止片が設けられており、光コネクタプラグが挿入された際には、当該プラグのつまみ前端周縁によって係止片が拡開方向に若干撓み、光コネクタアダプタのスリーブホルダにフェルールが嵌着された際には、プラグフレームに設けられた係合凹部に係止片の爪部が係合することで固定される。
【０００５】
しかし、このような従来の光コネクタプラグは、つまみ部材、プラグフレーム、フェルール、ストップリング、付勢ばね、カシメリング、リング、ブーツの８部材から構成され、一方、従来の光コネクタアダプタは、割りスリーブ、二個一対のスリーブホルダ、二個一対のハウジングとの５部材から構成され、両者合わせて合計１３部材から構成されていることから、組立て効率が悪く、製品価格をアップさせる要因となっている。
【０００６】
そこで、ＳＣ型の光コネクタプラグを光コネクタアダプタを介して相互接続する場合において、片側の簡易プラグとアダプタをまとめた簡易レセプタクルとすることにより、部品点数を現行形接続の１３部品に比べ、５部品に削減することで組立て効率の向上と製品価格の低コスト化が図られている。
【０００７】
すなわち、図７（ａ）、図７（ｄ）に示すように、簡易プラグ１００は、フェルール１０１およびブーツ１０２から成り、該フェルール１０１は、ホルダ１０３を介してブーツ１０２に嵌め込まれている。
【０００８】
一方、簡易レセプタクル２００は、図７（ｃ）および図７（ｄ）に示すように、後述する円筒状の割りスリーブ１０４を挿入可能とした左右一対の筒体２０１ａ、２０１ｂを有する簡易スリーブ２０１が単一のハウジングに内装されて成り、該簡易スリーブ２０１の一端側には、一方の筒体２０１ａに向けて挿入された簡易プラグ１００のホルダ１０３を保持固定するための二個一対の幅狭な第１係止片２０２ａ、２０２ｂが設けられ、これに対向して簡易スリーブ２０１の他端側には他方の筒体２０１ｂに向けて挿入されたＳＣ型の光コネクタプラグのつまみ部材およびプラグフレームを保持固定するための二個一対の幅広な第２係止片２０３ａ、２０３ｂが設けられている。
【０００９】
そして、図７（ｂ）および図７（ｃ）に示すように、フェルール１０１およびブーツ１０２から成る簡易プラグ１００の当該フェルール１０１の先端に割りスリーブ１０４が装着され、該割りスリーブ１０４を簡易スリーブ２０１の一方の筒体２０１ａに差し込んで光接続された際には、図７（ｄ）に示すように、幅狭な第１係止片２０２ａ、２０２ｂが、簡易プラグ１００のホルダ１０３側面に形成された段差状の係止凹部１０３ａに係止して固定されるようになっている。
【００１０】
また、簡易レセプタクル２００の他方の筒体２０１ｂに、ＳＣ型の光コネクタプラグが差し込まれて光接続された際には、幅広な第２係止片２０３ａ、２０３ｂがＳＣ型の光コネクタプラグのつまみ部材およびプラグフレームに形成された係止凹部（不図示）に係止して固定されるようになっている。
【先行技術文献】
【特許文献】
【００１１】
【特許文献１】特になし
【発明の概要】
【発明が解決しようとする課題】
【００１２】
しかしながら、上記した従来における簡易プラグ１００のフェルール１０１先端は、簡易スリーブ２０１の幅狭な第１係止片２０２ａ、２０２ｂ側中央にある筒体２０１ａに割りスリーブ１０４を介して差し込まれて光接続されるため、従来のＳＣ型の光コネクタプラグは使用できない（対向側はＳＣ型の光コネクタプラグを使用）ものとなっている。
【００１３】
しかも、上記した従来における簡易レセプタクル２００では、従来のＳＣ型プラグ同士を固定して光ファイバの光接続を行うことができない構成となっている。
【００１４】
そこで、本発明は、叙上のような従来存した諸事情に鑑み案出されたもので、ＳＣ型プラグ同士を固定して光ファイバの光接続を行う従来のＳＣ型アダプタを使用して、簡易プラグと従来のＳＣ型プラグとを固定して光ファイバの光接続を容易に行うことができる安価で且つ簡易な構成による光コネクタ用簡易プラグを提供することを目的とする。
【課題を解決するための手段】
【００１５】
上述した課題を解決するために、本発明にあっては、割りスリーブを内蔵保持する左右一対の筒体を各形成して、両筒体の各端部をそれぞれ囲繞するように、先端に鉤状の爪部を備えた係止片が設けられた二個一対のスリーブホルダの各端部同士を連接して成り、左右からＳＣ型プラグを挿入して相互を光接続可能として成るＳＣ型アダプタに使用される光コネクタ用の簡易プラグであって、該簡易プラグは、フェルールがホルダを介してブーツに嵌合されて成り、当該ホルダにはＳＣ型プラグ用スリーブホルダの係止片の大きさに対応したフランジ部を設け、該フランジ部にはスリーブホルダの係止片の爪部を係架させる係合凹部を備え、該係合凹部は、矩形板状のフランジ部の４辺において、外側面から後面側にかけて矩形切欠状となって形成されており、各係合凹部の形成幅間隔は係止片の横幅に対応していることによりＳＣ型アダプタ内での簡易プラグのホルダ軸を中心とした回転方向の移動を規制させるようにしたことを特徴とする。
【発明の効果】
【００１６】
本発明によれば、ＳＣ型プラグ同士を固定して光ファイバの光接続を行う従来のＳＣ型アダプタを使用して、簡易プラグと従来のＳＣ型プラグとを固定して光ファイバの光接続を容易に行うことができる安価で且つ簡易な構成による光コネクタ用簡易プラグを提供することができる。
【００１７】
すなわち、本発明における簡易プラグは、フェルールがホルダを介してブーツに嵌合されて成り、当該ホルダにはＳＣ型プラグ用スリーブホルダの係止片の大きさに対応したフランジ部を設け、該フランジ部にはスリーブホルダの係止片の爪部を係架させる係合凹部を備え、該係合凹部は、矩形板状のフランジ部の４辺において、外側面から後面側にかけて矩形切欠状となって形成されており、各係合凹部の形成幅間隔は係止片の横幅に対応していることによりＳＣ型アダプタ内での簡易プラグのホルダ軸を中心とした回転方向の移動を規制させるようにしたので、簡易プラグが挿入された際には、当該ホルダのフランジ部周縁によって係止片が拡開方向に撓み、スリーブホルダにフェルールが嵌着された際には、フランジ部に設けられた係合凹部に係止片の爪部が係合することで固定される。これによって、従来のＳＣ型アダプタを使用して、簡易プラグと従来のＳＣ型プラグとの両光ファイバの光接続を容易に行うことができる。また、ＳＣ型アダプタへの簡易プラグの挿入時にはホルダ軸を中心とした簡易プラグの回転方向の移動が規制された状態で保持されると同時に、調心を反映できるという自由度を有する。
【００１８】
しかも、従来のＳＣ型アダプタに対し、簡易プラグと従来のＳＣ型プラグとのいずれかを選択することができると同時に、本発明の簡易プラグの使用に伴い光コネクタの全長が短くなることでスペースに自由度が生まれ、これによって経済的な光コネクタシステムが容易に実現可能となる。
【００１９】
斯くして本発明は、簡易プラグのホルダのみの改良であり、その他の構成は流用可能となることから、従来品に比し組立て効率が極めて向上し且つ製品コストの低コスト化が図れる。
【００２０】
さらに、簡易プラグの抜去時には、フランジ部に設けられた係合凹部への係止片の爪部の係合を解放可能とする抜去用治具を使用することにより、割りスリーブはスリーブホルダの筒体内に残したまま簡易プラグを容易に抜去することができる。
【図面の簡単な説明】
【００２１】
【図１】本発明を実施するための一形態における簡易プラグの斜視図である。
【図２】同じく簡易プラグを示すもので、（ａ）は簡易プラグが使用されるＳＣ型アダプタのスリーブホルダと割りスリーブの分解側面図、（ｂ）は簡易プラグを挿入する前の状態の側面図、（ｃ）は簡易プラグを挿入した後の状態の半断面図である。
【図３】同じくＳＣ型アダプタに簡易プラグを差し込む動作を説明するもので、（ａ）は差し込み前の平面図、（ｂ）は差し込み後の平面図である。
【図４】同じくＳＣ型アダプタに簡易プラグを差込む動作を説明するもので、（ａ）は差し込み後の半断面図、（ｂ）は抜去用治具による簡易プラグの引き抜き状態を示す半断面図である。
【図５】同じくＳＣ型アダプタに簡易プラグを差し込んだ状態の正面図である。
【図６】同じく簡易プラグとＳＣ型アダプタの使用例を示すもので、（ａ）は簡易プラグとＳＣ型プラグとのいずれかを選択してＳＣ型アダプタに挿入し、対向側にはＳＣ型プラグを挿入する状態の平面図、（ｂ）はＳＣ型プラグ同士を挿入して相互の光ファイバの光接続を行った状態の平面図、（ｃ）は簡易プラグをＳＣ型アダプタに挿入し、対向側にはＳＣ型プラグを挿入して相互の光ファイバの光接続を行った状態の平面図である。
【図７】従来例を示すもので、（ａ）は従来構成による簡易プラグの斜視図、（ｂ）は簡易プラグと割りスリーブの分解側面図、（ｃ）は簡易レセプタクルに簡易プラグを挿入する前の状態の側面図、（ｄ）は簡易レセプタクルに簡易プラグを挿入した後の状態の半断面図である。
【発明を実施するための形態】
【００２２】
以下、図面を参照して本発明の実施の一形態を詳細に説明する。
【００２３】
本発明は、左右からＳＣ型プラグＰ１（Ｐ２）を挿入して相互の光ファイバ（芯線）を光接続可能として成る光コネクタ相互接続用アダプタを構成するＳＣ型アダプタ１に対し、光コネクタ用の簡易プラグ１１を使用可能にしたものである。すなわち、ＳＣ型アダプタ１は、図２（ａ）、図２（ｂ）、図２（ｃ）、図３（ａ）、図３（ｂ）、図４（ａ）、図４（ｂ）および図６に示すように、一方向からのＳＣ型プラグＰ１を受け入れる第一のアダプタ半体１ａと、他方向からのＳＣ型プラグＰ２を受け入れる第二のアダプタ半体１ｂと、両アダプタ半体１ａ、１ｂ相互にわたって嵌挿される割りスリーブ２とから構成され、両アダプタ半体１ａ、１ｂの各端部同士を連接した状態で構成されている。
【００２４】
これらアダプタ半体１ａ、１ｂは、一対の対向するＳＣ型プラグＰ１、Ｐ２を当該アダプタ半体１ａ、１ｂそれぞれの一端開口に挿入可能とする矩形状の筒体によって形成され、両アダプタ半体１ａ、１ｂのそれぞれ他端には、壁部３、４が一体形成され、該壁部３、４それぞれの中央には、ＳＣ型プラグＰ１、Ｐ２それぞれの先端部を装着保持するための、内側から一端開口側へ向けて突出した状態の円筒状を成す左右一対のスリーブホルダ５、６を備えている。
【００２５】
すなわち、両アダプタ半体１ａ、１ｂそれぞれの壁部３、４同士が接合されて一体化されることで、互いに合致した両壁部３、４が中央仕切部７となり、該中央仕切部７を介して両スリーブホルダ５、６がそれぞれ反対向きに突出配置される。そして、この両スリーブホルダ５、６内には割りスリーブ２が嵌挿配置される。
【００２６】
また、スリーブホルダ５、６には、両筒体の各端部をそれぞれ囲繞するように、爪部を先端に備えた係止片８ａ、８ｂが設けられている。すなわち、各筒体の左右両側には、先端内面に鉤状の爪部を各有する二個一対のバネ性を有する板状の係合片８ａ、８ｂが上記中央仕切部７の左右両側から筒体と並行に突設することで構成されている。
【００２７】
本発明に係る簡易プラグ１１は、図１、図２（ｂ）、図２（ｃ）、図３（ａ）、図４（ａ）、図４（ｂ）に示すように、フェルール１２をホルダ１３を介してブーツ１４に嵌合して構成されている。すなわち、このホルダ１３は、ブーツ１４先端に嵌め込められ且つ内部に光ファイバケーブルＫが挿通保持される小径筒状の後側基筒部１５と、先端に矩形板状のフランジ部１７を備え且つ内部にフェルール１２が挿通保持される大径筒状の前側保持筒部１６とを連接して成る。
【００２８】
フランジ部１７は、アダプタ半体１ａ、１ｂの係止片８ａ、８ｂに係合されるＳＣ型プラグＰ１（Ｐ２）の例えばつまみ部材Ｍの大きさに対応した矩形板状となって形成されている。そして、このフランジ部１７にはスリーブホルダ５、６の係止片８ａ、８ｂの爪部を係架させるための係合凹部９を備えている。この係合凹部９は、図５に示すように、矩形板状のフランジ部１７の４辺において、外側面から後面側にかけて矩形切欠状となって形成されており、各係合凹部９の形成幅間隔は係止片８ａ、８ｂの横幅に対応している。
【００２９】
また、図４（ｂ）に示すように、ＳＣ型アダプタ１から簡易プラグ１１を引き抜く場合には、係合凹部９への係止片８ａ、８ｂの爪部の係合を解放可能とする抜去用治具１９を使用する。すなわち、この抜去用治具１９は、光ファイバケーブルＫが挿通される挿入筒体によって形成され、その一端側にはスリーブホルダ５、６の係止片８ａ、８ｂに対向するように二個一対の解除用爪片１９ａ、１９ｂが形成されている。また、解除用爪片１９ａ、１９ｂの各内側には係止段部２０が形成され、光ファイバケーブルＫの引き抜きに伴い、フランジ部１７（係合凹部９）が係止段部２０に係合されることで簡易プラグ１１が抜去用治具１９と一体となってＳＣ型アダプタ１から抜脱されるようにしてある。
【００３０】
次に、以上のように構成された形態についての使用の一例について説明する。
【００３１】
図６（ａ）に示すように、ＳＣ型アダプタ１にＳＣ型プラグＰ１または簡易プラグ１１のいずれかを選択して挿入する。このとき、ＳＣ型アダプタ１の対向側にはＳＣ型プラグＰ２が装着される。
【００３２】
図６（ｂ）に示すように、ＳＣ型アダプタ１にＳＣ型プラグＰ１が挿入された際には、当該ＳＣ型プラグＰ１のつまみ部材Ｍ前端周縁によって係止片８ａ、８ｂが拡開方向に撓み、スリーブホルダ５、６にＳＣ型プラグＰ１のフェルールｐが嵌着された際には、プラグフレームに設けられた係合凹部（不図示）に係止片８ａ、８ｂの爪部が係合することで固定される。これによって、ＳＣ型プラグＰ１、Ｐ２相互の光ファイバ芯線同士が光接続される。
【００３３】
図３（ａ）、図３（ｂ）、図４（ａ）、図６（ｃ）に示すように、ＳＣ型アダプタ１に簡易プラグ１１が挿入された際には、当該ホルダ１３のフランジ部１７周縁によって係止片８ａ、８ｂが拡開方向に撓み、スリーブホルダ５、６にフェルール１２が嵌着された際には、図２（ｃ）、図４（ａ）、図５に示すように、フランジ部１７の係合凹部９に係止片８ａ、８ｂの爪部が係合することで固定される。これによって、従来のＳＣ型アダプタ１を使用して、簡易プラグ１１と従来のＳＣ型プラグＰ２との両光ファイバ芯線同士が光接続される。
【００３４】
ＳＣ型アダプタ１から簡易プラグ１１を引き抜く場合には、図４（ｂ）に示すように、抜去用治具１９に光ファイバケーブルＫを挿通し、解除用爪片１９ａ、１９ｂをＳＣ型アダプタ１の内奥部へ導入させる。このとき、解除用爪片１９ａ、１９ｂによって係止片８ａ、８ｂが拡開方向に撓ませられて係合凹部９に対する爪部の係合が解放される。そして、光ファイバケーブルＫを引き抜くと、フランジ部１７（係合凹部９）が解除用爪片１９ａ、１９ｂ内側の係止段部２０に係合されることで簡易プラグ１１は抜去用治具１９と一体となって抜き脱される。
【符号の説明】
【００３５】
Ｐ１、Ｐ２          ＳＣ型プラグ
ｐ                  フェルール
Ｋ                  光ファイバケーブル
Ｍ                  つまみ部材
１                  ＳＣ型アダプタ
１ａ                第一のアダプタ半体
１ｂ                二のアダプタ半体
２                  割りスリーブ
３、４              壁部
５、６              スリーブホルダ
７                  中央仕切部
８ａ、８ｂ          係止片
９                  係合凹部
１１                簡易プラグ
１２                フェルール
１３                ホルダ
１４                ブーツ
１５                後側基筒部
１６                前側保持筒部
１７                フランジ部
１９                抜去用治具
１９ａ、１９ｂ      解除用爪片
２０                係止段部
１００              簡易プラグ
１０１              フェルール
１０２              ブーツ
１０３              ホルダ
１０３ａ            係止凹部
１０４              割りスリーブ
２００              簡易レセプタクル
２０１ａ、２０１ｂ  筒体
２０１              簡易スリーブ
２０２ａ、２０２ｂ  第１係止片
２０３ａ、２０３ｂ  第２係止片
【図１】
0005411006.tif 000002
【図２】
0005411006.tif 000003
【図３】
0005411006.tif 000004
【図４】
0005411006.tif 000005
【図５】
0005411006.tif 000006
【図６】
0005411006.tif 000007
【図７】
0005411006.tif 000008